(57)【要約】      （修正有）【課題】排尿や排便が容易にできると共に股上部分が容易にはだけることのない、人体の右下半身用と左下半身用とが独立に分離している下半身用の衣服を提供する。【解決手段】ズボン１は、ベルト部４ｂ等、脚腰部５ａ、５ｂ、股上部６ｂ等から構成される人体の右下半身に対応する右分割体と、左下半身に対応する左分割体とを有し、股上部６ｂ等は、その折返部６０ａ、６０ｂの横寸ＭＴが脚腰部５ａ、５ｂの横寸ＡＴａ、ＡＴｂとほぼ同じ長さに幅広状に形成される。これにより、ズボン１を着衣すると内側の股上部と外側の股上部６ｂとが、ピッタリと重ね合わさった状態で分離可能に係合し、この状態は、着衣者が所定の角度β（３０〜５０度程度）以上に股を開くまで維持される。【選択図】図７
0003174920.tif 000002
【実用新案登録請求の範囲】
【請求項１】
人体の右下半身に対応する右分割体と、人体の左下半身に対応する左分割体とから成り、該右分割体と該左分割体とが独立に分離している上端が開口した下半身用の衣服であって、
前記右分割体は、
右脚部を挿入する右脚挿入部と、該右脚挿入部から上方に延在して右腰や右大腿部を覆う右腰大腿覆部と、から成る右脚腰部と、
前記右腰大腿覆部から左方に延在して下腹部や臀部などの股上部分を覆うと共に、その前面部の上端から股下を通って後面部の上端に亘る右開口部を左端に有する右股上部と、
を備え、
前記左分割体は、
左脚部を挿入する左脚挿入部と、該左脚挿入部から上方に延在して左腰や左大腿部を覆う左腰大腿覆部と、から成る左脚腰部と、
前記左腰大腿覆部から右方に延在して下腹部や臀部などの股上部分を覆うと共に、その前面部の上端から股下を通って後面部の上端に亘る左開口部を右端に有する左股上部と、
を備え、
前記右股上部は、その下端部の横寸が前記右脚腰部の横寸とほぼ同じ長さの幅広状に形成され、
前記左股上部は、その下端部の横寸が前記左脚腰部の横寸とほぼ同じ長さの幅広状に形成され、
前記右分割体と前記左分割体とが着衣されたとき、前記右股上部及び前記左股上部の下端部の両端同士がほぼ合致するように、該右股上部と該左股上部とを互いに重ね合わせた状態で分離可能に係合することを特徴とする下半身用の衣服。
【請求項２】
人体の右下半身に対応する右分割体と、人体の左下半身に対応する左分割体とから成り、該右分割体と該左分割体とが独立に分離している上端が開口した下半身用の衣服であって、
前記右分割体は、
右脚部を挿入する右脚挿入部と、該右脚挿入部から上方に延在して右腰や右大腿部を覆う右腰大腿覆部と、から成る右脚腰部と、
前記右腰大腿覆部から左方に延在して下腹部や臀部などの股上部分を覆うと共に、その前面部の上端から股下を通って後面部の上端に亘る右開口部を左端に有する右股上部と、
を備え、
前記左分割体は、
左脚部を挿入する左脚挿入部と、該左脚挿入部から上方に延在して左腰や左大腿部を覆う左腰大腿覆部と、から成る左脚腰部と、
前記左腰大腿覆部から右方に延在して下腹部や臀部などの股上部分を覆うと共に、その前面部の上端から股下を通って後面部の上端に亘る左開口部を右端に有する左股上部と、
を備え、
前記右股上部及び前記左股上部は、その下端部の横寸がそれぞれ２０センチ以上に形成され、
前記右分割体と前記左分割体とが着衣されたとき、前記右股上部及び前記左股上部の下端部の両端同士がほぼ合致するように、該右股上部と該左股上部とを互いに重ね合わせた状態で分離可能に係合することを特徴とする下半身用の衣服。
【請求項３】
人体の右下半身に対応する右分割体と、人体の左下半身に対応する左分割体とから成り、該右分割体と該左分割体とが独立に分離している上端が開口した下半身用の衣服であって、
前記右分割体は、
右脚部を挿入する右脚挿入部と、該右脚挿入部から上方に延在して右腰や右大腿部を覆う右腰大腿覆部と、から成る右脚腰部と、
前記右腰大腿覆部から左方に延在して下腹部や臀部などの股上部分を覆うと共に、その前面部の上端から股下を通って後面部の上端に亘る右開口部を左端に有する右股上部と、
を備え、
前記左分割体は、
左脚部を挿入する左脚挿入部と、該左脚挿入部から上方に延在して左腰や左大腿部を覆う左腰大腿覆部と、から成る左脚腰部と、
前記左腰大腿覆部から右方に延在して下腹部や臀部などの股上部分を覆うと共に、その前面部の上端から股下を通って後面部の上端に亘る左開口部を右端に有する左股上部と、
を備え、
前記右分割体と前記左分割体とが着衣されたとき、前記右股上部及び前記左股上部の下端部の両端同士がほぼ合致するように、該右股上部と該左股上部とを互いに重ね合わせた状態で分離可能に係合すると共に、着衣者が３０度以上に股を開くまで、該右股上部及び該左股上部の下端部の両端同士の合致している状態が維持される長さに、該右股上部及び該左股上部の下端部の横寸を形成したことを特徴とする下半身用の衣服。
【請求項４】
前記右股上部及び前記左股上部の下端部の右端部には、該右端部と、前記右脚腰部とが重合する右ゆとり部が設けられ、
前記右股上部及び前記左股上部の下端部の左端部には、該左端部と、前記左脚腰部とが重合する左ゆとり部が設けられ、
該右ゆとり部及び該左ゆとり部は、着衣者が３０度以上に股を開いていないときに皺状に現れることを特徴とする請求項１乃至請求項３の何れか１項に記載の下半身用の衣服。
【請求項５】
前記右ゆとり部及び前記左ゆとり部は、着衣者が所定の角度以下に股を閉じたとき、その横寸が最大で前記右股上部及び前記左股上部の下端部の横寸のほぼ１／３となるように形成されていることを特徴とする請求項４に記載の下半身用の衣服。
【請求項６】
前記右股上部の下端部は、左方に向かって所定の角度の上り勾配が設けられ、
前記左股上部の下端部は、右方に向かって該右股上部の下端部の上り勾配と同じ角度の上り勾配が設けられ、
前記右股上部の開口側となる左端部には、該左端部を補強する右補強部が設けられ、
前記左股上部の開口側となる右端部には、該右端部を補強する左補強部が設けられ、
該右補強部と該左補強部とは、前記右股上部と前記左股上部とが重ね合わさった状態で着衣者が所定の角度以上に股を開いたとき、該右股上部の下端部及び該左股上部の下端部がほぼ水平になった状態で係合し、該右股上部と該左股上部とが分離するのを防止することを特徴とする請求項１乃至請求項５の何れか１項に記載の下半身用の衣服。
【請求項７】
前記右股上部の上端に、前記右分割体を着衣者の腰付近に固定する右固定手段を設け、
前記左股上部の上端に、前記左分割体を着衣者の腰付近に固定する左固定手段を設け、
前記右股上部と前記右脚腰部及び前記左股上部と前記左脚腰部とは、所定の係合手段により係脱自在に係合可能としたことを特徴とする請求項１乃至請求項６の何れか１項に記載の下半身用の衣服。
【請求項８】
前記右股上部及び前記左股上部は、一枚の生地をその縦寸のほぼ中央から折り返すようにして形成され、
前記右股上部及び前記左股上部の前面部は、略矩形状に形成され、
前記右股上部及び前記左股上部の後面部は、その横寸が上方になるにつれて前記前面部の横寸よりも左右両側に徐々に長くなる略台形状に形成されていることを特徴とする請求項１乃至請求項７の何れか１項に記載の下半身用の衣服。
【考案の詳細な説明】
【技術分野】
【０００１】
本考案は、入院患者や障害者、高齢者等に好適な衣服に関し、さらに詳しくは、人体の右下半身用と左下半身用とが独立に分離している下半身用の衣服に関する。
【背景技術】
【０００２】
従来、入院患者や障害者、高齢者等の体が不自由な人や介護が必要な人の衣服の脱着を容易にするため、人体の右下半身用と左下半身用とが独立に分離している下半身用の衣服（以下、ズボンともいう）が提案されている。このようなズボンとしては、例えば特許文献１に記載されているものが知られている。この特許文献１記載のズボンは、人体の左下半身に対応する第１部分と、右下半身に対応する第２部分とを別個独立して備えており、第１部分及び第２部分は、筒状に形成された脚を挿入する小径筒部と、この小径筒部の上方に延びる腰に対応する大径部とから形成されている。そして、左右の大径部は、股上部分側が開放されて形成され、この開放部分から人体の中心側に向かって延びる重ね合わせ部が縫製によってそれぞれ一体的に設けられている。つまり、特許文献１記載のズボンは、左下半身に対応する第１部分の重ね合わせ部と、右下半身に対応する第２部分の重ね合わせ部とを重ね合わせて着衣することにより、股上部分を形成するように構成されている。
【先行技術文献】
【特許文献】
【０００３】
【特許文献１】特開２０００−３０３２０３号公報
【考案の概要】
【考案が解決しようとする課題】
【０００４】
ところで、上記した特許文献１の技術では、左下半身に対応する第１部分の重ね合わせ部と、右下半身に対応する第２部分の重ね合わせ部とは、その横寸が狭く、略通常のズボンのような寸法になっており、そのため、着衣者のちょっとした動作でこの股上部分である重ね合わせ部、特に重ね合わせ部の下端側が容易にはだけて、素肌やオムツ、下着等が露出してしまい、着衣者は、恥ずかしい思いをするという問題点がある。さらに、斯かるズボンの着衣者は、車椅子に乗ることが多く、例えばベッドから車椅子に移動するときや、車椅子に座ったとき等、すなわち着衣者が股間を開くような動作をすると、重ね合わせ部がはだけてしまい、そのため着衣者は、車椅子に乗ることが億劫になるという問題点もある。
【０００５】
そこで、このような問題点を改善するため、重ね合わせ部に面ファスナー、ファスナー、ホック、ボタン、スナップ等の係脱自在の係合手段を設け、この係合手段により左右の重ね合わせ部を係合し、重ね合わせ部同士が容易に分離しないようにすることが考えられる。しかしながら、このような重ね合わせ部を係合する係合手段があると、着衣者が尿意や便意を催したとき、係合手段の操作に手間取って重ね合わせ部を迅速に開くことができず、その結果、用足しが間に合わず失禁してしまうということも考えられる。すなわち、重ね合わせ部に係合手段を設けてしまうと、折角の排尿や排便が容易にできるという特徴が発揮できなくなるという問題点が発生する。
【０００６】
本考案は、上記したような問題点に鑑みなされたもので、その目的とするところは、排尿や排便が容易にできると共に股上部分が容易にはだけることのない、人体の右下半身用と左下半身用とが独立に分離している下半身用の衣服を提供することにある。
【課題を解決するための手段】
【０００７】
このような問題を解決するために、本考案の下半身用の衣服は、請求項１に記載したように、人体の右下半身に対応する右分割体（右分割体２ａ）と、人体の左下半身に対応する左分割体（左分割体２ｂ）とから成り、該右分割体と該左分割体とが独立に分離している上端が開口した下半身用の衣服（ズボン１、９０）であって、前記右分割体は、右脚部を挿入する右脚挿入部（脚挿入部５０ａ）と、該右脚挿入部から上方に延在して右腰や右大腿部を覆う右腰大腿覆部（腰覆部５１ａ）と、から成る右脚腰部（脚腰部５ａ）と、前記右腰大腿覆部から左方に延在して下腹部や臀部などの股上部分を覆うと共に、その前面部（前面部６１ａ）の上端から股下を通って後面部（後面部６２ａ）の上端に亘る右開口部（股部開口６３ａ）を左端に有する右股上部（股上部６ａ）と、を備え、前記左分割体は、左脚部を挿入する左脚挿入部（脚挿入部５０ｂ）と、該左脚挿入部から上方に延在して左腰や左大腿部を覆う左腰大腿覆部（腰覆部５１ｂ）と、から成る左脚腰部（脚腰部５ｂ）と、前記左腰大腿覆部から右方に延在して下腹部や臀部などの股上部分を覆うと共に、その前面部（前面部６１ｂ）の上端から股下を通って後面部（後面部６２ｂ）の上端に亘る左開口部（股部開口６３ｂ）を右端に有する左股上部（股上部６ｂ）と、を備え、前記右股上部は、その下端部（折返部６０ａ）の横寸（ＭＴ）が前記右脚腰部の横寸（ＡＴａ）とほぼ同じ長さの幅広状に形成され、前記左股上部は、その下端部（折返部６０ｂ）の横寸（ＭＴ）が前記左脚腰部の横寸（ＡＴｂ）とほぼ同じ長さの幅広状に形成され、前記右分割体と前記左分割体とが着衣されたとき、前記右股上部及び前記左股上部の下端部の両端同士がほぼ合致するように、該右股上部と該左股上部とを互いに重ね合わせた状態で分離可能に係合することを要旨とする。
【０００８】
請求項２に記載の下半身用の衣服は、人体の右下半身に対応する右分割体（右分割体２ａ）と、人体の左下半身に対応する左分割体（左分割体２ｂ）とから成り、該右分割体と該左分割体とが独立に分離している上端が開口した下半身用の衣服（ズボン１、９０）であって、前記右分割体は、右脚部を挿入する右脚挿入部（脚挿入部５０ａ）と、該右脚挿入部から上方に延在して右腰や右大腿部を覆う右腰大腿覆部（腰覆部５１ａ）と、から成る右脚腰部（脚腰部５ａ）と、前記右腰大腿覆部から左方に延在して下腹部や臀部などの股上部分を覆うと共に、その前面部（前面部６１ａ）の上端から股下を通って後面部（後面部６２ａ）の上端に亘る右開口部（股部開口６３ａ）を左端に有する右股上部（股上部６ａ）と、を備え、前記左分割体は、左脚部を挿入する左脚挿入部（脚挿入部５０ｂ）と、該左脚挿入部から上方に延在して左腰や左大腿部を覆う左腰大腿覆部（腰覆部５１ｂ）と、から成る左脚腰部（脚腰部５ｂ）と、前記左腰大腿覆部から右方に延在して下腹部や臀部などの股上部分を覆うと共に、その前面部（前面部６１ｂ）の上端から股下を通って後面部（後面部６２ｂ）の上端に亘る左開口部（股部開口６３ｂ）を右端に有する左股上部（股上部６ｂ）と、を備え、前記右股上部及び前記左股上部は、その下端部（折返部６０ａ、６０ｂ）の横寸（ＭＴ）がそれぞれ２０センチ以上に形成され、前記右分割体と前記左分割体とが着衣されたとき、前記右股上部及び前記左股上部の下端部の両端同士がほぼ合致するように、該右股上部と該左股上部とを互いに重ね合わせた状態で分離可能に係合することを要旨とする。
【０００９】
請求項３に記載の下半身用の衣服は、人体の右下半身に対応する右分割体（右分割体２ａ）と、人体の左下半身に対応する左分割体（左分割体２ｂ）とから成り、該右分割体と該左分割体とが独立に分離している上端が開口した下半身用の衣服（ズボン１、９０）であって、前記右分割体は、右脚部を挿入する右脚挿入部（脚挿入部５０ａ）と、該右脚挿入部から上方に延在して右腰や右大腿部を覆う右腰大腿覆部（腰覆部５１ａ）と、から成る右脚腰部（脚腰部５ａ）と、前記右腰大腿覆部から左方に延在して下腹部や臀部などの股上部分を覆うと共に、その前面部（前面部６１ａ）の上端から股下を通って後面部（後面部６２ａ）の上端に亘る右開口部（股部開口６３ａ）を左端に有する右股上部（股上部６ａ）と、を備え、前記左分割体は、左脚部を挿入する左脚挿入部（脚挿入部５０ｂ）と、該左脚挿入部から上方に延在して左腰や左大腿部を覆う左腰大腿覆部（腰覆部５１ｂ）と、から成る左脚腰部（脚腰部５ｂ）と、前記左腰大腿覆部から右方に延在して下腹部や臀部などの股上部分を覆うと共に、その前面部（前面部６１ｂ）の上端から股下を通って後面部（後面部６２ｂ）の上端に亘る左開口部（股部開口６３ｂ）を右端に有する左股上部（股上部６ｂ）と、を備え、前記右分割体と前記左分割体とが着衣されたとき、前記右股上部及び前記左股上部の下端部（折返部６０ａ、６０ｂ）の両端同士がほぼ合致するように、該右股上部と該左股上部とを互いに重ね合わせた状態で分離可能に係合すると共に、着衣者が３０度（角度β）以上に股を開くまで、該右股上部及び該左股上部の下端部の両端同士の合致している状態が維持される長さに、該右股上部及び該左股上部の下端部の横寸（ＭＴ）を形成したことを要旨とする。
【００１０】
つまり、人体の右下半身に対応する右分割体と、人体の左下半身に対応する左分割体とが独立に分離している下半身用の衣服において、請求項１は、右股上部及び左股上部の下端部の横寸を右脚腰部及び左脚腰部の横寸とほぼ同じ長さの幅広状に形成し、請求項２は、右股上部及び左股上部の下端部の横寸をそれぞれ２０センチ以上に幅広状に形成し、請求項３は、着衣者が３０度以上に股を開くまで、右股上部及び左股上部の下端部の横寸を、該右股上部及び該左股上部の下端部の両端同士の合致している状態が維持される長さに幅広状に形成する。
【００１１】
従って、このように構成される請求項１〜３に記載の下半身用の衣服によれば、人体の右下半身用と左下半身用とが独立に分離している下半身用の衣服であっても、右股上部と左股上部とが容易にはだけてしまうことがなく、その結果、着衣者は、素肌やオムツ、下着等が露出して恥ずかしい思いをすることがない。特に、ベッドから車椅子に移動するときや、車椅子に座ったとき等であっても、右股上部と左股上部とが容易にはだけることはないので、着衣者は、車椅子に乗ることが億劫になるということがない。
【００１２】
また、右股上部と左股上部との重ね合わせ部に係合手段を設けていないので、排尿や排便をするときは、着衣者は、迅速且つ容易に右股上部と左股上部との重ね合わせ部を開くことができ、排尿、排便に手間取ることがない。その結果、排尿、排便までの時間が短縮され、失禁するおそれがなくなる。そして、失禁するおそれがなくなると、オムツを省略することも可能となる。
【００１３】
ところで、右股上部及び左股上部の下端部の横寸を幅広状に形成すると、着衣者が股を開いていない通常の姿勢のとき等に違和感を覚えるおそれがあるが、これは、次のようにするとよい。すなわち請求項４に記載の下半身用の衣服は、請求項１乃至請求項３の何れか１項に記載の下半身用の衣服において、前記右股上部及び前記左股上部の下端部の右端部には、該右端部と、前記右脚腰部とが重合する右ゆとり部（ゆとり部１２ａ）が設けられ、前記右股上部及び前記左股上部の下端部の左端部には、該左端部と、前記左脚腰部とが重合する左ゆとり部（ゆとり部１２ｂ）が設けられ、該右ゆとり部及び該左ゆとり部は、着衣者が３０度以上に股を開いていないときに皺状に現れることを要旨とする。
【００１４】
従って、このように構成される本考案の下半身用の衣服によれば、着衣者が３０度以上股を開いていない姿勢のときには、右ゆとり部及び左ゆとり部が皺状に現れ、右ゆとり部が右股上部と右脚腰部との間に、左ゆとり部が左股上部と左脚腰部との間に介在して緩衝するので、これにより右股上部及び左股上部を幅広状に形成しても、着衣者が股を開いていない通常の姿勢のとき等に違和感を覚えることがない。すなわち、本考案によれば、着衣者は、どのような姿勢であっても違和感を覚えることのない、はき心地のよい下半身用の衣服を提供できる。
【００１５】
ここで、右ゆとり部及び左ゆとり部の横寸は、次のようにするとよい。すなわち請求項５に記載の下半身用の衣服は、請求項４に記載の下半身用の衣服において、前記右ゆとり部及び前記左ゆとり部は、着衣者が所定の角度以下に股を閉じたとき、その横寸（ＭＴａ、ＭＴｂ）が最大で前記右股上部及び前記左股上部の下端部の横寸のほぼ１／３となるように形成されていることを要旨とする。従って、このように構成される本考案の下半身用の衣服によれば、右ゆとり部及び左ゆとり部の横寸が最適になり、その結果、着衣者が股を開いていない通常の姿勢のときに、はき心地のよさを維持しながら股間にゆとりを持たせ、且つデリケートゾーン（局部）を安定させてしっかりと保護することができる。
【００１６】
請求項６に記載の下半身用の衣服は、請求項１乃至請求項５の何れか１項に記載の下半身用の衣服において、前記右股上部の下端部は、左方に向かって所定の角度（角度α）の上り勾配が設けられ、前記左股上部の下端部は、右方に向かって該右股上部の下端部の上り勾配と同じ角度の上り勾配が設けられ、前記右股上部の開口側となる左端部には、該左端部を補強する右補強部（補強部７ａ）が設けられ、前記左股上部の開口側となる右端部には、該右端部を補強する左補強部（補強部７ｂ）が設けられ、該右補強部（段差部７０ａ）と該左補強部（段差部７０ｂ）とは、前記右股上部と前記左股上部とが重ね合わさった状態で着衣者が所定の角度以上に股を開いたとき、該右股上部の下端部及び該左股上部の下端部がほぼ水平になった状態で係合し、該右股上部と該左股上部とが分離するのを防止することを要旨とする。
【００１７】
従って、このように構成される本考案の下半身用の衣服によれば、着衣者が大きく股を開いたときであっても、右補強部と左補強部とが係合することで右股上部と左股上部とが容易にはだけることがなく、その結果、着衣者は安心して体を動かす（股を大きく広げる）ことができる。つまり、右股上部及び左股上部の下端部の上り勾配により、着衣者が大きく股を開いたときは、ほぼ水平状に右補強部の下端部と左補強部の下端部とが係合するので、これにより、右補強部と左補強部との係合状態をより強固なものにしている。
【００１８】
請求項７に記載の下半身用の衣服（ズボン９０）は、請求項１乃至請求項６の何れか１項に記載の下半身用の衣服において、前記右股上部の上端に、前記右分割体を着衣者の腰付近に固定する右固定手段（ベルト部４ａ）を設け、前記左股上部の上端に、前記左分割体を着衣者の腰付近に固定する左固定手段（ベルト部４ｂ）を設け、前記右股上部と前記右脚腰部及び前記左股上部と前記左脚腰部とは、所定の係合手段により係脱自在に係合可能としたことを要旨とする。従って、このように構成される本考案の下半身用の衣服によれば、右脚腰部及び左脚腰部を取り除いた部分、すなわち右股上部と右固定手段及び左股上部と左固定手段は、パンツやフンドシ等の下着として使用することもでき、非常に使い勝手がよくなる。
【００１９】
ここで、右股上部及び前記左股上部の前面部及び後面部の形状は、次のようにするとよい。すなわち請求項８に記載の下半身用の衣服は、請求項１乃至請求項７の何れか１項に記載の下半身用の衣服において、前記右股上部及び前記左股上部は、一枚の生地をその縦寸のほぼ中央から折り返すようにして形成され、前記右股上部及び前記左股上部の前面部は、略矩形状に形成され、前記右股上部及び前記左股上部の後面部は、その横寸が上方になるにつれて前記前面部の横寸よりも左右両側に徐々に長くなる略台形状に形成されていることを要旨とする。
【００２０】
従って、このように構成される本考案の下半身用の衣服によれば、着衣者の下腹部や臀部が二重に広く覆われ、おなかを冷やしにくくなり、且つ右股上部と左股上部とが容易にはだけることはないので、その結果、着衣者は、パンツ等の下着を省略することができる。そして、下着を省略することで、極めて容易に用を足すことができる。
【図面の簡単な説明】
【００２１】
【図１】本実施形態に係わるズボン１の着用状態における正面図である。
【図２】本実施形態に係わる図１に示したズボン１の着用状態における背面図である。
【図３】本実施形態に係わる図１に示したズボン１の分離状態を示す正面図である。
【図４】本実施形態に係わる図２に示したズボン１の分離状態を示す背面図である。
【図５】本実施形態に係わるズボン１の右分割体２ａの構成を示す分解正面図である。
【図６】本実施形態に係わるズボン１の左分割体２ｂの構成を示す分解背面図である。
【図７】本実施形態に係わるズボン１の縫製状態を示す正面図である。
【図８】本実施形態に係わる図３における右分割体２ａ及び左分割体２ｂの股上部６ａ、６ｂの一部を示すＡ−Ａ断面図である。
【図９】（Ａ）は、本実施形態に係わる図７に示したズボン１の縫製時の状態における折返部６０ａ、６０ｂ付近を示す股上部６ａ、６ｂの部分説明図、（Ｂ）は、（Ａ）の状態から着衣者がさらに股を開いたときの折返部６０ａ、６０ｂ付近を示す股上部６ａ、６ｂの部分説明図である。
【図１０】本実施形態に係わる図９（Ｂ）の円Ｅ内の補強部７ａ、７ｂの状態を説明するための股上部６ａ、６ｂのＢ−Ｂ断面図である。
【図１１】他の実施形態に係るズボン９０の分解正面図である。
【考案を実施するための形態】
【００２２】
以下に、本考案のズボン１に係る実施形態を図面に基づき説明する。まず、図１〜図７を参照しながら、ズボン１の構成について説明する。図１は、ズボン１の着用状態における正面図、図２は、図１に示したズボン１の着用状態における背面図、図３は、図１に示したズボン１の分離状態を示す正面図、図４は、図２に示したズボン１の分離状態を示す背面図、図５は、ズボン１の右分割体２ａの構成を示す分解正面図、図６は、ズボン１の左分割体２ｂの構成を示す分解背面図、図７は、ズボン１の縫製状態を示す正面図、図８は、図３における右分割体２ａ及び左分割体２ｂの股上部６ａ、６ｂの一部を示すＡ−Ａ断面図である。
【００２３】
ズボン１は、所定の生地を裁断縫製して形成され、人体の右下半身に対応する右分割体２ａと、人体の左下半身に対応する左分割体２ｂとを有している。また、右分割体２ａと左分割体２ｂとは、図３、図４に示すように、別個独立に分離可能に構成されている。右分割体２ａ及び左分割体２ｂは、ベルト部４ａ、４ｂと、脚腰部５ａ、５ｂと、股上部６ａ、６ｂとから構成されている。これらベルト部４ａ、脚腰部５ａ、股上部６ａをそれぞれ縫い合わせることにより右分割体２ａが形成され、ベルト部４ｂ、脚腰部５ｂ、股上部６ｂをそれぞれ縫い合わせることにより左分割体２ｂが形成される。
【００２４】
脚腰部５ａ、５ｂは、一枚の生地で筒状に縫製されるものであって、図２、図４に示すように、その左端と右端とが縫い目１３ａ、１３ｂにて縫い合わされ、その下端が内側に折り返されて縫い目１４ａ、１４ｂにて縫い合わされている。従って、着衣者は、通常、二枚の生地で縫製されて脚の左右二箇所にできる縫い目が、脚腰部５ａ、５ｂでは一箇所（縫い目１３ａ、１３ｂ）で、且つ脚の裏側にその縫い目１３ａ、１３ｂが位置することにより、違和感なくズボン１を着衣することができる。
【００２５】
また、脚腰部５ａ、５ｂは、股上部６ａ、６ｂから下の部分であって右脚部及び左脚部を挿入するための脚挿入部５０ａ、５０ｂと、脚挿入部５０ａ、５０ｂから上方に延在する右腰（大腿）部及び左腰（大腿）部を覆う腰覆部５１ａ、５１ｂとを有している。脚挿入部５０ａ、５０ｂは、その下端に右足及び左足を出すための足部開口５３ａ、５３ｂが形成され、腰覆部５１ａ、５１ｂは、その股上部６ａ、６ｂ側に右腰（大腿）部及び左腰（大腿）部を覆うための腰部開口５４ａ、５４ｂ（図５、図６参照）が形成されている。腰部開口５４ａは正面から視て腰覆部５１ａの右端に、腰部開口５４ｂは背面から視て腰覆部５１ｂの右端に、つまり腰部開口５４ａ、５４ｂは、腰覆部５１ａ、５１ｂの人体の中心側にそれぞれ略Ｕ字状に形成され、この腰部開口５４ａ、５４ｂを形成する腰覆部５１ａ、５１ｂの端部（人体の中心側）が、股上部６ａ、６ｂと縫い目１１ａ、１１ｂにて縫い合わされる。
【００２６】
ここで、股上部６ａ、６ｂは、一枚の生地を縦寸のほぼ中央から折り返すようにして、脚腰部５ａ、５ｂ（腰覆部５１ａ、５１ｂ）に縫い目１１ａ、１１ｂにて縫い合わされて取り付けられており、従って、股上部６ａ、６ｂは、脚腰部５ａ、５ｂに取り付けられた状態では、その腰覆部５１ａ、５１ｂと反対側に略Ｕ字状の股部開口６３ａ、６３ｂが形成されることになる。また、股上部６ａ、６ｂは、脚腰部５ａ、５ｂに取り付けられた状態で、その前側となる前面部６１ａ、６１ｂは、正面視したときに折返部６０ａ、６０ｂを底辺とした略矩形状に形成され、一方その後側となる後面部６２ａ、６２ｂは、背面視したときに折返部６０ａ、６０ｂを底辺とした略台形状に形成されている。
【００２７】
つまり、股上部６ａ、６ｂが脚腰部５ａ、５ｂに取り付けられた状態では、後面部６２ａ、６２ｂは、その横寸が上方になるにつれて、前面部６１ａ、６１ｂよりも両側に徐々に長く形成されており、従って、後面部６２ａ、６２ｂの面積は、前面部６１ａ、６１ｂの面積よりも大きくなっている（１．５〜２倍程度）。これにより、ズボン１の臀部に対応する部分にゆとりを持たせると共に、あたかもパンツやフンドシを着たように、左右両側に縫い目１１ａ、１１ｂが位置して後面部６２ａ、６２ｂが臀部を包み込むようになるので、着衣者は、違和感なくズボン１を着衣することができる。
【００２８】
また、股上部６ａ、６ｂを折り返した箇所（折返部６０ａ、６０ｂ）には、所定の勾配が形成され、すなわち折返部６０ａ、６０ｂには、図３、図４に示すように、腰覆部５１ａ、５１ｂと反対側に向かって同じ角度α（３〜７度程度）の上り勾配がそれぞれ設けられており、さらに、股上部６ａと股上部６ｂを重ね合わせるため、股上部６ｂの方が、股上部６ａよりも縦寸が若干長く形成されている。これにより、股上部６ａ、６ｂが脚腰部５ａ、５ｂに取り付けられた状態で、股上部６ａを内側、股上部６ｂを外側にして股上部６ａと股上部６ｂとが重ね合わされる。
【００２９】
ここで、股上部６ａ、６ｂの両端の高さは、股上部６ａ両端のＴａ１、Ｔａ２、股上部６ｂ両端のＴｂ１、Ｔｂ２となり、つまり、Ｔａ１は、前面部６１ａ及び後面部６２ａの脚腰部５ａ側端の高さ、Ｔａ２は、前面部６１ａ及び後面部６２ａの股部開口６３ａ側端の高さ、Ｔｂ１は、前面部６１ｂ及び後面部６２ｂの脚腰部５ｂ側端の高さ、Ｔｂ２は、前面部６１ｂ及び後面部６２ｂの股部開口６３ｂ側端の高さであり、これは換言すれば、Ｔａ１は腰部開口５４ａの高さ、Ｔａ２は股部開口６３ａの高さ、Ｔｂ１は腰部開口５４ｂの高さ、Ｔｂ２は股部開口６３ｂの高さとなる。ここで、これらＴａ１、Ｔａ２、Ｔｂ１、Ｔｂ２の関係は、図３、図４に示すように、Ｔａ１＝Ｔｂ２、Ｔｂ１＞Ｔａ１（Ｔｂ２）＞Ｔａ２、Ｔａ１（Ｔｂ２）−Ｔａ２＝Ｔｂ１−Ｔｂ２（Ｔａ１）＝ｔとなる（股上部６ｂの方が、股上部６ａよりも縦寸がｔの２倍だけ長く形成されている）。
【００３０】
また、股上部６ａ、６ｂには、図１に示す正面から視て左側にゆとり部１２ａが、右側にゆとり部１２ｂがそれぞれ設けられており、このゆとり部１２ａ、１２ｂは、着衣者が、図７に示す所定の角度β（３０〜５０度程度）以上股を開いていない姿勢でズボン１を着衣したとき、折返部６０ａ、６０ｂの左右両端付近の部分と、脚腰部５ａ、５ｂの折返部６０ａ、６０ｂとの結合付近の部分とが皺状に重合することにより現れるものである（図１、図２参照）。このゆとり部１２ａ、１２ｂは、図７に示すように、股上部６ａ、６ｂと脚腰部５ａ、５ｂを縫い目１１ａ、１１ｂにて縫製するときは、現れることはない。
【００３１】
つまり、股上部６ａ、６ｂと脚腰部５ａ、５ｂとの縫製時に、腰部開口５４ａ、５４ｂを形成する腰覆部５１ａ、５１ｂの端部と股上部６ａ、６ｂの端部とを合致させると、着衣者があたかも所定の角度βに股を開いたような姿勢に右分割体２ａ及び左分割体２ｂが形成されるようになっている。すなわち、股上部６ａ、６ｂは、折返部６０ａ、６０ｂ付近の横寸が、ゆとり部１２ａ、１２ｂの分を考慮して通常よりも長く（通常の略３倍程度長く）形成され、図７に示すように、折返部６０ａ、６０ｂの横寸ＭＴは、脚腰部５ａ、５ｂの横寸ＡＴａ、ＡＴｂとほぼ同じ長さになっている。そして、着衣者が股を開いていない通常の姿勢のとき、図１、図２に示すように、ゆとり部１２ａ、１２ｂはほぼ最大となり、その横寸ＭＴａ、ＭＴｂは、ほぼ同じ長さで折返部６０ａ、６０ｂの横寸ＭＴの略１／３の長さとなる。従って、折返部６０ａ、６０ｂの脚腰部５ａ、５ｂと重合していない箇所の長さＭＴＳも、折返部６０ａ、６０ｂの横寸ＭＴの略１／３の長さとなり、ゆとり部１２ａ、１２ｂの横寸ＭＴａ、ＭＴｂと略同じ長さになる（ＭＴａ＝ＭＴｂ＝ＭＴＳ＝ＭＴ／３）。従って、この状態から着衣者が股を徐々に開いていくと、ゆとり部１２ａ、１２ｂの横寸ＭＴａ、ＭＴｂもそれに伴って短くなり、着衣者が所定の角度β以上股を開くと、ゆとり部１２ａ、１２ｂの横寸ＭＴａ、ＭＴｂは消滅する。
【００３２】
なお、折返部６０ａ、６０ｂの横寸ＭＴ及び脚腰部５ａ、５ｂの横寸ＡＴａ、ＡＴｂの具体的な長さとしては、２０〜３０センチ程度が好ましく、この場合、ゆとり部１２ａ、１２ｂの横寸ＭＴａ、ＭＴｂ及び折返部６０ａ、６０ｂの脚腰部５ａ、５ｂと重合していない箇所ＭＴＳの長さは７〜１０センチ程度となる。
【００３３】
また、股部開口６３ａ、６３ｂを形成する股上部６ａ、６ｂの端部には補強部７ａ、７ｂが付設されている。この補強部７ａ、７ｂは、一枚の目の粗い厚手の生地で細長い略矩形状に形成されており、図８に示すように、股上部６ａ、６ｂの生地を挟み込むように該股上部６ａ、６ｂに取り付けられ、股上部６ａ、６ｂの生地と補強部７ａ、７ｂの生地とで段差部７０ａ、７０ｂを形成している。補強部７ａ、７ｂは、股上部６ａ、６ｂの生地の伸び（特に縦方向の伸び）や端部のほつれ等を防止すると共に、後に詳述するが、着衣者が大きく股を開いたときに段差部７０ａと段差部７０ｂとが係合して、股上部６ａと股上部６ｂとが容易にはだけるのを防止するものである。
【００３４】
次に、ベルト部４ａ、４ｂは、細長い帯状に形成され、図５、図６に示すように、脚腰部５ａ、５ｂの腰覆部５１ａ、５１ｂと、股上部６ａ、６ｂの前面部６１ａ、６１ｂ及び後面部６２ａ、６２ｂの上端部に、平面から視て略「つ」字状に縫製等により付設されている。図３、図４に示すように、ベルト部４ａ、４ｂは、その一端部が前面部６１ａ、６１ｂの補強部７ａ、７ｂの位置まで形成され、その他端部が後面部６２ａ、６２ｂの補強部７ａ、７ｂの位置から突出部４０ａ、４０ｂが突出するように形成されている。
【００３５】
ベルト部４ａ、４ｂは、その一端側の前面部６１ａ、６１ｂと対応する位置の外側（人体と反対側）には第１面ファスナー９ａ、９ｂが設けられ、一方、その他端側の突出部４０ａ、４０ｂにはゴム部８ａ、８ｂと、内側（人体側）に第２面ファスナー１０ａ、１０ｂとが設けられ、第１面ファスナー９ａ、９ｂと第２面ファスナー１０ａ、１０ｂとは、係脱自在に係合するようになっている。また、ゴム部８ａ、８ｂは、第１面ファスナー９ａ、９ｂと第２面ファスナー１０ａ、１０ｂとの間に位置するように設けられ、従って、着衣者は、ゴム部８ａ、８ｂを伸ばして第１面ファスナー９ａ、９ｂと第２面ファスナー１０ａ、１０ｂとを係合することにより、ベルト部４ａ、４ｂを固定する。
【００３６】
以上のように構成されるズボン１を着衣する場合には、まず右分割体２ａの腰部開口５４ａから脚腰部５ａの脚挿入部５０ａに右脚を入れ、足部開口５３ａから右足を出す。そして、体に沿って脚腰部５ａの腰覆部５１ａ及び股上部６ａ（前面部６１ａ及び後面部６２ａ）を引き上げて右腰（大腿）部と下腹部（局部、臀部）を覆い、その後、ベルト部４ａを背中側から左腰に沿って前側に回すようにして、第１面ファスナー９ａに第２面ファスナー１０ａを係合する。これにより、右分割体２ａの着衣が完了し、この状態では、左腰（大腿）部の側面と左脚全体が露出している。
【００３７】
次に、左分割体２ｂの腰部開口５４ｂから脚腰部５ｂの脚挿入部５０ｂに左脚を入れ、足部開口５３ｂから左足を出す。そして、体に沿って脚腰部５ｂの腰覆部５１ｂ及び股上部６ｂ（前面部６１ｂ及び後面部６２ｂ）を引き上げ、股上部６ａの上に股上部６ｂを重ね合わせるようにして、左腰（大腿）部と下腹部（局部、臀部）を覆い、その後、ベルト部４ｂを、ベルト部４ａに重ね合わせるように背中側から右腰に沿って前側に回すようにして、第１面ファスナー９ｂに第２面ファスナー１０ｂを係合する。これにより、左分割体２ｂの着衣が完了し、すなわちズボン１の着衣が完了する。なお、ズボン１を脱衣する場合には、着衣する場合の逆の動作を行えばよい。
【００３８】
ここで、ズボン１の着衣が完了したときは、股上部６ａの上に股上部６ｂがほぼ合致するように重なり、この状態では、股上部６ａのＴａ１と股上部６ｂのＴｂ２とが重なり、股上部６ａのＴａ２と股上部６ｂのＴｂ１とが重なっている。この際、Ｔａ１とＴｂ２は同じ長さなので、図１に示すように、正面視したときに折返部６０ｂの左端部（補強部７ｂ）と折返部６０ａの左端部とが、また、図２に示すように、背面視したときに折返部６０ｂの右端部（補強部７ｂ）と折返部６０ａの右端部とが、ほぼピッタリと重なる。一方、Ｔｂ１はＴａ２より長いので、図１に示すように、正面視したときに折返部６０ｂの右端部と折返部６０ａの右端部（補強部７ａ）との間に、また、図２に示すように、背面視したときに折返部６０ｂの左端部と折返部６０ａの左端部（補強部７ｂ）との間に、略垂直方向の所定の隙間Ｓ（ｔの２倍の長さ、図３、図４参照）が形成された状態となる。そして、図１、図２に示す状態では、すなわち着衣者が股を開いていない通常の姿勢のときには、ゆとり部１２ａ、１２ｂの横寸ＭＴａ、ＭＴｂがほぼ最大に現れている。
【００３９】
また、ズボン１を着衣したまま排尿や排便をするときは、着衣者が、まず左手にて外側の股上部６ｂの前面部６１ｂや折返部６０ｂ（補強部７ｂ）を左脚側に引っ張り、次に股上部６ａと股上部６ｂとの隙間から右手を差し込んで、内側の股上部６ａの前面部６１ｂや折返部６０ｂ（補強部７ａ）を右脚側に引っ張って、股上部６ａと股上部６ｂとの重合を解除して開口部を形成するようにすればよい。
【００４０】
次に、図９及び図１０を参照しながら、本考案のズボン１が、股上部６ａ、６ｂに設けられた補強部７ａ、７ｂにより、着衣者が大きく股を開いても股上部６ａ、６ｂが容易にはだけることのない構成について説明する。図９（Ａ）は、図７に示したズボン１の縫製時の状態（着衣者が所定の角度βに股を開いている状態）における折返部６０ａ、６０ｂ付近を示す股上部６ａ、６ｂの部分説明図、図９（Ｂ）は、図９（Ａ）の状態から着衣者がさらに股を開いたときの折返部６０ａ、６０ｂ付近を示す股上部６ａ、６ｂの部分説明図、図１０は、図９（Ｂ）の円Ｅ内の補強部７ａ、７ｂの状態を説明するための股上部６ａ、６ｂのＢ−Ｂ断面図である。
【００４１】
図９（Ａ）に示す着衣者が所定の角度βに股を開いている状態から、さらに着衣者が股を開くと、股上部６ａ、６ｂは、ピッタリと重合している状態から、股上部６ａが矢印Ｃの方向に、股上部６ｂが矢印Ｄの方向に、それぞれ回転するように移動する。なお、股上部６ａ、６ｂが移動する前の図９（Ａ）に示す状態では、折返部６０ａ、６０ｂは、水平線に対して角度αの所定の上り勾配を維持している。
【００４２】
そして、着衣者が股を大きく開いて図９（Ｂ）に示す状態になると、股上部６ａ、６ｂの補強部７ａ、７ｂが図９（Ｂ）の円Ｅ内に示すように係合する。この図９（Ｂ）に示す状態では、図９（Ａ）に示す状態から股上部６ａ、６ｂが対称状に回転移動した結果、折返部６０ａ、６０ｂは、水平線と略平行な状態となっている。すなわち、図９（Ｂ）に示す状態では、図１０に示すように、股上部６ａの補強部７ａの外側の段差部７０ａと、股上部６ｂの補強部７ｂの内側の段差部７０ｂとが係合することにより、これ以上の股上部６ａ、６ｂの矢印Ｃ、Ｄ方向への移動を阻止する。しかも、この段差部７０ａ、７０ｂの係合状態は、折返部６０ａ、６０ｂが水平になっているので、段差部７０ａと段差部７０ｂとの当接面がピッタリと当接し、これにより補強部７ａ、７ｂの係合状態はより強固なものになる。従って、着衣者が大きく股を開いても股上部６ａと股上部６ｂとが容易にはだけることはない。さらに、図９（Ｂ）に示す状態では、補強部７ａ、７ｂの目の粗い生地と股上部６ａ、６ｂの生地との摩擦力により、さらに補強部７ａ、７ｂの係合状態をより強固なものにしている。
【００４３】
なお、ズボン１（ベルト部４ａ、４ｂ、脚腰部５ａ、５ｂ、股上部６ａ、６ｂ）の生地としては、軽くて肌触りがよく、保温性や通気性、吸湿性等のよい、例えば絹や綿、麻等を使用するとよい。特に、褥瘡の発生を緩和するため、絹を含有する生地、例えば絹と綿、麻等を混紡した生地を裏張りするとよい。また、股上部６ａ、６ｂについては、縦方向に伸びるのを防止するため、図１、図２の矢印Ａ、Ｂに示す地の目が縦地になるように生地を裁断することが好ましく、このようにすれば、股上部６ａ、６ｂが弛んで、重なり合った股上部６ａと股上部６ｂとが容易にはだけてしまうことがない。
【００４４】
また、補強部７ａ、７ｂは、厚くて目の粗い芯地、例えば三河木綿、河内木綿、大麻織等を用いるのが好ましく、このように補強部７ａ、７ｂに厚くて目の粗い芯地を使用すれば、段差部７０ａ、７０ｂの有効性をより確実なものにできると共に、段差部７０ａと段差部７０ｂとが係合する前の段階で、補強部７ａ、７ｂと股上部６ａ、６ｂとが擦れ合うときの摩擦力が大きくなり、これによっても重なり合った股上部６ａと股上部６ｂとが容易にはだけてしまうことを防止する。なお、補強部７ａ、７ｂの股上部６ａ、６ｂへの取り付けは、縫製の他、接着芯を用いてアイロン等で接着により取り付けるようにしてもよい。この際、補強部７ａ、７ｂの地の目は、当然ながら股上部６ａ、６ｂと同様に、図１、図２の矢印Ａ、Ｂに示す縦地になるように取り付ける。
【００４５】
さらに、ズボン１に抗菌処理、防臭処理、防炎処理を施すとよい。特に、抗菌処理や防臭処理では、環境に負荷をかけずにウィルスや細菌、臭い、花粉等のアレルゲン物質等を分解する信州セラミックス社の「アースプラス」（特開平１０−１７８４７、特開平１１−３４３２１０に開示されている被着処理剤）を使用するとよい。
【００４６】
以上の説明から明らかなように、本考案のズボン１によれば、股上部６ａ、６ｂ、特に折返部６０ａ、６０ｂの横寸ＭＴを通常の略３倍程度長く幅広状に形成して、脚腰部５ａ、５ｂの横寸ＡＴａ、ＡＴｂとほぼ同じ長さにしたので、股上部６ａと股上部６ｂとが容易にはだけてしまうことがなく、その結果、着衣者は、素肌やオムツ、下着等が露出して恥ずかしい思いをすることがない。特に、ベッドから車椅子に移動するときや、車椅子に座ったとき等であっても、股上部６ａと股上部６ｂとが容易にはだけることはないので、着衣者は、車椅子に乗ることが億劫になるということがない。
【００４７】
また、着衣者が股を開いていない通常の姿勢のときには、折返部６０ａ、６０ｂの横寸ＭＴの１／３程度の横寸ＭＴａ、ＭＴｂのゆとり部１２ａ、１２ｂが現れ、このゆとり部１２ａ、１２ｂが股上部６ａ、６ｂと脚腰部５ａ、５ｂとの間に介在して緩衝するので、股上部６ａ、６ｂを幅広状に形成しても、着衣者は違和感なくズボン１を着衣することができ、その結果、ズボン１のはき心地がよくなる。つまり、ゆとり部１２ａ、１２ｂにより、ズボン１は、あたかもフンドシとステテコとを合体したような構成が可能となり、これにより股間にゆとりを持たせつつデリケートゾーン（局部）を安定させてしっかりと保護する一方で、着衣者が、所定の角度βまで股を開いた場合であっても、股上部６ａ、６ｂをピッタリと重合して股上部６ａと股上部６ｂとがはだけるのを防止できる。
【００４８】
また、股上部６ａ、６ｂに設けた補強部７ａ、７ｂにより、着衣者が大きく股を開いたときであっても、段差部７０ａと段差部７０ｂとが係合することで股上部６ａと股上部６ｂとが容易にはだけることがなく、その結果、着衣者は安心して体を動かす（股を大きく広げる）ことができる。特に、折返部６０ａ、６０ｂは、腰覆部５１ａ、５１ｂと反対側に向かって角度αの上り勾配が設けられており、着衣者が大きく股を開いたときは、この折返部６０ａ、６０ｂの勾配によりほぼ水平状に折返部６０ａ（補強部７ａ）と折返部６０ｂ（補強部７ｂ）とが係合するので、これにより、段差部７０ａと段差部７０ｂとの係合状態をより強固なものにしている。
【００４９】
また、股上部６ａ、６ｂの重ね合わせ部に係合手段を設けていないので、排尿や排便をするときは、着衣者は、手で股上部６ａ、６ｂを左右に引っ張るだけで迅速且つ容易に股上部６ａと股上部６ｂとの重ね合わせ部を開くことができ、その結果、排尿、排便までの時間が短縮され、失禁してしまうことが少なくなる。そして、失禁する心配がなくなると、オムツをする必要がなくなり、例えば、着衣者が男性の場合には、車椅子に座ったままでも立小便感覚で排尿することができ、一般の男子用トイレで用を足すことが可能になる。さらに、ズボン１は、股上部６ａ、６ｂにより着衣者の下腹部や臀部が二重に広く覆われ、おなかを冷やしにくい構造になっているので、これにより、ズボン１の着衣者は、パンツやオムツ等の下着を省略することも可能となる。
【００５０】
以上、本考案の包装箱１を図面に基づいて説明してきたが、具体的な構成は実施形態に示したものに限定されるものではなく、本考案の要旨を逸脱しない範囲における変更や追加などがあっても本発明に含まれる。例えば、ズボン１を、図１１に示すようなズボン９０としてもよい。図１１は、他の実施形態に係るズボン９０の分解正面図である。なお、この他の実施形態の説明においては、上述した実施形態と同様な構成については同じ符号を付し、それら構成の説明については省略する。図１１に示すズボン９０は、図７に示した縫製状態時のズボン１において、脚腰部５ａ、５ｂが分離した状態を示している。つまり、ズボン９０は、脚腰部５ａ、５ｂが係脱自在に係合可能になっている。
【００５１】
ここで、脚腰部５ａ、５ｂと股上部６ａ、６ｂ及び脚腰部５ａ、５ｂとベルト部４ａ、４ｂとの係合手段としては、面ファスナー、ファスナー、ホック、ボタン、スナップ等が挙げられる。このように、ズボン９０から脚腰部５ａ、５ｂを取り外したり、取り付けたりすることが自在にできると、脚腰部５ａ、５ｂを取り除いた部分をパンツ（フンドシ）９１等の下着として使用することもでき、非常に使い勝手がよくなる。なお、この他の実施形態では、ベルト部４ａとベルト部４ｂとを、同様な係合手段にて係脱自在に係合可能に構成するとよい。
【００５２】
また、上記実施形態では、ベルト部４ａとベルト部４ｂとは重なるように構成したが、脚腰部５ａと脚腰部５ｂ及び股上部６ａと股上部６ｂの縦方向の長さを相違させ、ベルト部４ａとベルト部４ｂとが重ならないようにしてもよい。このようにすると、着衣者のベルト部４ａとベルト部４ｂとの重なりによるゴワゴワ感が解消され、ズボン１の履き心地がよくなる。
【符号の説明】
【００５３】
１、９０…ズボン、  ２ａ…右分割体、
２ｂ…左分割体、  ４ａ、４ｂ…ベルト部、
５ａ、５ｂ…脚腰部、  ６ａ、６ｂ…股上部、
７ａ、７ｂ…補強部、  ８ａ、８ｂ…ゴム部、
９ａ、９ｂ…第１面ファスナー、  １０ａ、１０ｂ…第２面ファスナー、
１１ａ、１１ｂ、１３ａ、１３ｂ、１４ａ、１４ｂ…縫い目、
１２ａ、１２ｂ…ゆとり部、  ４０ａ、４０ｂ…突出部、
５０ａ、５０ｂ…脚挿入部、  ５１ａ、５１ｂ…腰覆部、
５３ａ、５３ｂ…足部開口、  ５４ａ、５４ｂ…腰部開口、
６０ａ、６０ｂ…折返部、  ６１ａ、６１ｂ…前面部、
６２ａ、６２ｂ…後面部、  ６３ａ、６３ｂ…股部開口、
７０ａ、７０ｂ…段差部、  ９１…パンツ（フンドシ）
【図１】
0003174920.tif 000003
【図２】
0003174920.tif 000004
【図３】
0003174920.tif 000005
【図４】
0003174920.tif 000006
【図５】
0003174920.tif 000007
【図６】
0003174920.tif 000008
【図７】
0003174920.tif 000009
【図８】
0003174920.tif 000010
【図９】
0003174920.tif 000011
【図１０】
0003174920.tif 000012
【図１１】
0003174920.tif 000013